(57)【要約】【課題】背圧仕切帯を旋回鏡板に安定して密封摺動させ、かつ摺動接触面全体に均等化させるとともに、部品点数を削減した高効率、高信頼性、低コストのスクロール圧縮機を提供すること。【解決手段】軸受部材８の環状溝１０に、弾性を有する凸部２０ａ、２０ｂが一体となった背圧仕切帯２０を設置することにより、部品点数を削減しても、凸部２０ａ、２０ｂの弾性力で旋回クロールの鏡板に背圧仕切帯１４を押付け支持することで、安定した密封摺動させることができる。【選択図】図２
2010144522.tif 000002
【特許請求の範囲】
【請求項１】
固定スクロールと、前記固定スクロールと互いに噛み合わせて複数個の圧縮空間を形成するように配設した旋回スクロールと、前記旋回スクロールの自転を防止するオルダムリングと、前記旋回スクロールを駆動するクランク軸と、前記クランク軸を支承する軸受部材からなる圧縮機構を有し、前記旋回スクロールの旋回鏡板に作用する二種類の圧力を仕切る環状の背圧仕切帯を前記軸受部材に設けた環状溝に収容し、弾性を有する複数の凸部を前記背圧仕切帯と一体に設けたスクロール圧縮機。
【請求項２】
前記背圧仕切帯と一体に設けた複数の凸部と、前記凸部のいくつかを収納する凹部を前記環状溝内に設けた請求項１に記載のスクロール圧縮機。
【発明の詳細な説明】
【技術分野】
【０００１】
本発明は、空気調和機やヒートポンプ式給湯機などに用いられるスクロール圧縮機に関するものである。
【背景技術】
【０００２】
従来、代表的な空調用圧縮機の一つとしてスクロール圧縮機があり、その構造および原理は広く公知である。以下、図５ないし図７に示すスクロール圧縮機を例にとり、図面とともに説明する（例えば、特許文献１参照）。
【０００３】
圧縮機構１は、固定スクロール２と、この固定スクロール２と互いに噛み合わせて複数個の圧縮空間３を形成するように配設した旋回スクロール４と、この旋回スクロール４の自転を防止するオルダムリング６と、前記旋回スクロール４を駆動するクランク軸７と、このクランク軸７を支承する軸受部材８とで構成されている。
【０００４】
前記軸受部材８の軸方向支持部９には、環状溝１０が設けられており、この環状溝１０に、ばね部材１２と、リング部材１３と、背圧仕切帯１４とが設置されている。そして、この背圧仕切帯１４は、前記軸方向支持部９と微小隙間１１を介して対面する前記旋回スクロール４の旋回鏡板５と摺動自在に接している。
【０００５】
また、前記旋回鏡板５には、絞り機構１５が設けられており、高圧雰囲気にある潤滑油を、高圧と低圧の間の適正な圧力に減圧し、中間圧力室１６へ導入している。図５の絞り機構１５は、図６の旋回鏡板５の内部に高圧の給油経路１５ａと連通した絞り穴１５ｂが設けられ、旋回スクロール４の運動により、絞り孔１５ｂの開口部が、背圧仕切帯１４の内側（高圧側）と外側（中間圧側）を往復動することで、間欠的動作を伴い絞り機構１５を構成している（例えば、特許文献２参照）。
【０００６】
上記構成により、電動機部（図示せず）の回転力が前記クランク軸７を介して伝達されると、前記圧縮機構１の吸入口１７から吸入された低圧流体は、複数個の前記圧縮空間３で順次圧縮され、吐出口１８から高圧流体となって吐出される。
【０００７】
圧縮機構１の動作により、複数個の圧縮空間３内部の圧力が上昇し、前記旋回スクロール４の旋回鏡板５が前記固定スクロール２から離れようとする離反力が作用する。一方、旋回鏡板５の反対面には、前記背圧仕切帯１４の内周側に高圧と、背圧仕切帯１４の外周側に中間圧の２種類の圧力（以下、これを背圧力と言う）が作用する。
【０００８】
これにより、前記離反力をこの背圧力で打ち消し、旋回スクロール４は常に固定スクロール２に適正な力で押し付けられ、圧縮空間３内部での漏れ損失を抑えるとともに、摺動損失を低減しており、高効率化を図っている。
【０００９】
前記背圧仕切帯１４は、特に始動直後あるいは運転条件などにより、その動作が不安定になりやすい。そのため、背圧仕切帯１４を旋回鏡板５に常に適正に付勢させるため、この背圧仕切帯１４と環状溝１０と間に前記ばね部材１２を設置し、安定して背圧仕切帯１４を密封摺動させている。
【００１０】
さらに、前記背圧仕切帯１４は、その密封性等を考慮して、例えばＰＴＦＥ（四フッ化エチレン樹脂）などの比較的軟らかい樹脂系材料が採用される。そのため、前記ばね部材１２と前記背圧仕切帯１４との間に前記リング部材１３を設置し、前記旋回鏡板５に押圧
される力が摺動接触面全体に均等化されるとともに、背圧仕切帯１４の部分的な摩耗の促進を抑え、高効率、高信頼性を実現している。
【００１１】
上記ばね部材１２およびリング部材１３は、具体的には図７に示すような形状および組み付けであり、それらの材料は、例えばＳＵＳ３０１−ＣＳＰ、ＳＵＳ３０４−ＣＳＰ（ばね用ステンレス鋼帯）や、ＳＫ５、Ｓ６０Ｃ（ばね用冷間圧延鋼帯）の薄板が用いられている。さらに、前記ばね部材１２は、この薄板を曲げ成形によって軸方向にばね力を持たせた波形形状としている。
【特許文献１】特開平８−６１２５８号公報
【特許文献２】特開２００２−３１００７６号公報
【発明の開示】
【発明が解決しようとする課題】
【００１２】
しかしながら、特に最近の厳しい低コスト化が望まれる中、わずかでも部品点数が少ない方が望ましい。特に、上記従来技術において、ばね部材やリング部材に用いられる前記のような材料は、比較的その材料単価が高く、低コスト化の妨げの一因となっていた。
【００１３】
また、圧縮機構を組み立てる際に、ばね部材とリング部材をそれぞれ設置する必要があり、組立工数の増加の一因となっていた。
【００１４】
本発明は、このような従来の課題を解決するものであり、背圧仕切帯を旋回鏡板に付勢させるばね部材とリング部材を一体化することで部品点数を減らして低コスト化を図り、さらには組立性を向上させたスクロール圧縮機を提供することを目的とする。
【課題を解決するための手段】
【００１５】
前記従来の課題を解決するために本発明は、弾性を有する複数の凸部を前記背圧仕切帯と一体にしたものである。
【発明の効果】
【００１６】
弾性を有する複数の凸部を背圧仕切帯部材と一体としたことにより、ばね部材とリング部材の両方の作用効果を得ることができるとともに、部品点数、組立工数を削減でき、コストを低減することができる。
【発明を実施するための最良の形態】
【００１７】
第１の発明は、固定スクロールと、前記固定スクロールと互いに噛み合わせて複数個の圧縮空間を形成するように配設した旋回スクロールと、前記旋回スクロールの自転を防止するオルダムリングと、前記旋回スクロールを駆動するクランク軸と、前記クランク軸を支承する軸受部材からなる圧縮機構を有し、前記旋回スクロールの旋回鏡板に作用する二種類の圧力を仕切る環状の背圧仕切帯を前記軸受部材に設けた環状溝に収容し、弾性を有する複数の凸部を前記背圧仕切帯と一体に設けたものである。これにより、背圧仕切帯は、従来設置されていたばね部材とリング部材がなくとも、同等の効果を得ることができるとともに、部品点数、組立工数を削減でき、コストを低減することができる。
【００１８】
第２の発明は、特に第１の発明において、背圧仕切帯に設けた複数の凸部のいくつかを収納する凹部を前記環状溝内に設けたとしたものである。これにより、第１の発明における作用効果に加えて、環状溝内で背圧仕切帯に生じていた周方向の回転を抑制でき、背圧仕切帯の合口部が絞り機構の開口部等と干渉を防止できる。したがって、円周方向の安定性が良くなり、背圧仕切帯の動作も一層安定させることができる。
【００１９】
以下、本発明の実施の形態について図面を参照しながら説明する。なお、この実施の形
態によって本発明は限定されるものではない。
【００２０】
また、図５から図７で説明した従来例と同一の構成については、同一番号を使用し、その作用の説明は省略する。
【００２１】
（実施の形態１）
図１は、本発明の第１の実施の形態におけるスクロール圧縮機に用いられる弾性を有する凸部を形成された背圧仕切帯の部分斜視図、また、図２は、図１の背圧仕切帯が環状溝に収容され旋回鏡板と接触摺動している部分断面図である。
【００２２】
図１において、背圧仕切帯２０には、周方向に一部に切り起こした凸部２０ａが形成されている。この切り起こした凸部２０ａは、旋回鏡板５との密封摺動面１９（図２参照）の反対側で環状溝１０側に形成されている。図では切り起こした凸部２０ａを一箇所しか示していないが、全体に同様の凸部が複数形成されている。
【００２３】
そして図２に示すように、環状溝１０に背圧仕切帯２０が収容され組み込まれると、切り起こした凸部２０ａ、２０ｂは、環状溝１０の底面に接触して収容される。
【００２４】
切り起され形成された凸部２０ａ、２０ｂは、切り起される前の状態には戻らず弾性を有するため、背圧仕切帯２０を旋回鏡板５へと、常に押し上げる事が可能となる。
【００２５】
したがって、従来始動直後あるいは運転条件などにより、背圧仕切帯２０の動作が不安定になりやい状態においても、切り起こした凸部２０ｂの弾性力により、背圧仕切帯２０を旋回鏡板５に常に押し上げる事ができ、速やかに安定動作に移行して密封摺動させることができる。
【００２６】
これにより、従来よりも部品点数を減らして低コスト化を図り、さらには組立性を向上させた高効率、高信頼性のスクロール圧縮機を得ることができる。
【００２７】
（実施の形態２）
図３は、本発明の第２の実施の形態におけるスクロール圧縮機に用いられる弾性を有する凸部を形成された背圧仕切帯の部分斜視図、また、図４は、図２の背圧仕切帯が環状溝に収容され旋回鏡板と接触摺動している部分断面図である。
【００２８】
図３において、背圧仕切帯２０には、内側から径方向に一部に切り起こした凸部２０ｃが形成されている。この切り起こした凸部２０ｃは、旋回鏡板５との密封摺動面１９（図２参照）の反対側で環状溝１０側に形成されている。図では切り起こした凸部２０ｃを一箇所しか示していないが、全体に同様の凸部が複数形成されている。
【００２９】
これにより、前記実施の形態１と同様に、背圧仕切帯２０を旋回鏡板５に常に押し上げる事ができ、速やかに安定動作に移行して密封摺動させることができるため、低コストで組立性を向上させた高効率、高信頼性のスクロール圧縮機を得ることができる。
【００３０】
また、図４は、実施の形態１に加えて、環状溝１０の底面に凹部が設けられ、背圧仕切帯２０の凸部のいくつかが収容され運転された状態を示している。図では、切り起こした凸部２０ａが環状溝１０の凹部２１に収容され、切り起こした凸部２０ｂは、凹部のない環状溝１０の底面に接触している。
【００３１】
切り起され形成された凸部２０ａ、２０ｂはともに、切り起される前の状態には戻らず弾性を有するため、図２では環状溝１０の底面に接触している凸部２０ｂの弾性力により
、背圧仕切帯２０を旋回鏡板５へと、常に押し上げる事が可能となる。
【００３２】
また、凹部２１に収容された凸部２０ａにより、環状溝１０内の背圧仕切帯２０が周方向に回転することを防止できるため、背圧仕切帯２０の合口部（図７参照）が、絞り機構１５の絞り孔１５ｂの開口と干渉することがないため、合背圧仕切帯２０の口部も安定性した密封性能を発揮する事ができる。
【００３３】
したがって、従来始動直後あるいは運転条件などにより、背圧仕切帯２０の動作が不安定になりやい状態においても、切り起こした凸部２０ｂの弾性力により、背圧仕切帯１０を旋回鏡板５に常に押し上げる事ができ、速やかに安定動作に移行して密封摺動させることができる。その結果、従来よりも部品点数を削減した低コスト、さらには組立性を向上させた高効率、高信頼性のスクロール圧縮機を得ることができる。
【００３４】
また、上記実施の形態においては、図１の背圧仕切帯を図４に示す実施の形態２に用いる構成としても良い。
【００３５】
また、上記実施の形態において、切り起こし凸部の形態を図１、図３に示したが、切り起こしの形状、凸部の形状は、これらに限るものではない。
【産業上の利用可能性】
【００３６】
以上のように、本発明にかかるスクロール圧縮機は、高効率、高信頼性、低コスト化を実現でき、スクロール圧縮機に限らず、二種類の圧力を作用させる構成に幅広く適用することができる。
【図面の簡単な説明】
【００３７】
【図１】本発明の実施の形態１におけるスクロール圧縮機に用いられる背圧仕切帯の部分斜視図
【図２】本発明の実施の形態１におけるスクロール圧縮機に用いられる背圧仕切帯の部分断面図
【図３】本発明の実施の形態１におけるスクロール圧縮機に用いられる背圧仕切帯の部分斜視図
【図４】本発明の実施の形態２におけるスクロール圧縮機に用いられる背圧仕切帯の部分断面図
【図５】従来のスクロール圧縮機の要部断面図
【図６】従来のスクロール圧縮機における環状溝周辺の要部断面図
【図７】従来のスクロール圧縮機における背圧仕切帯等の組付けを示す斜視図
【符号の説明】
【００３８】
１  圧縮機構
２  固定スクロール
３  圧縮空間
４  旋回スクロール
５  旋回鏡板
８  軸受部材
９  軸方向支持部
１０  環状溝
１９  密封摺動面
２０  背圧仕切帯
２０ａ，ｂ，ｃ，ｄ  凸部
２１  凹部
【図１】
2010144522.tif 000003
【図２】
2010144522.tif 000004
【図３】
2010144522.tif 000005
【図４】
2010144522.tif 000006
【図５】
2010144522.tif 000007
【図６】
2010144522.tif 000008
【図７】
2010144522.tif 000009